(57)【要約】【課題】  従来の配管用吊りバンドは、作業効率を高めるために様々な工夫を凝らした製品がありますが、割高で使用しずらい。そこで本発明は、作業効率を高め、製造過程においてコスト削減でき、使用者に低価格で扱い易い配管用吊りバンドを提供する。【解決手段】  請求項１では、吊りバンドとボルトとナットとセットで使用されるタンバックルの、脚部にあるボルト挿入開口部にバ−リング加工により雌ネジを切り、吊りバンドを、ボルトを介してタンバックルの脚部に固定手段により固定でき、また、２項ではタンバックルの、脚部にあるボルト挿入開口部を、吊りバンドに付いているボルトとナットのボルトが入る程度の開口にすることにより、ボルトが抜けにくくなり、吊りバンドをタンバックルの脚部に固定手段によりボルトを通しただけで離脱し難くなり作業効率が良くなる。【選択図】図１
2007198579.tif 000002
【特許請求の範囲】
【請求項１】
本発明は、天井スラブなどに、上端が固定される吊りボルトの下端側に取り付けられるタンバックルの脚部に、ボルトとナットにより吊りバンドの端部が固定手段により固定される型式の吊りバンドにおいて、タンバックルの脚部に吊りバンドの端部をボルトによって固定できるように、タンバックルの脚部ボルト挿入開口部の片側にバ−リング加工により雌ネジを作成し、タンバックルの脚部に吊りバンドの端部をボルトの固定手段によって固定でき、タンバックルから吊りバンドが離脱しないことを特徴とする配管用吊りバンド。
【請求項２】
本発明は、上記タンバックルの脚部に、吊りバンドの端部を固定するためのボルト挿入開口部に、ボルトを差し込んだ時、遊びがないようにボルトのネジを痛めない程度の開口径にすることにより、ボルトが抜けにくいなり、タンバックルから吊りバンドが離脱し難いことを特徴とする請求項１記載の配管用吊りバンド。
【発明の詳細な説明】
【技術分野】
【０００１】  本発明は、ガス、水道管の天井等から吊り下げ固定するために用いる配管用吊りバンドに関する。
【背景技術】
【０００２】  配管用吊りバンドとしては広く利用されている。このタイプは原形が実公昭２９−１２４８０号公報に開示されている。配管用吊りバンドは、天井スラブに埋め込んだインサ−トの雌ネジに上端が固定されている吊りボルトの下端に、固定手段によって取り付けられるタンバックルの両脚部に取り付け、更にヒンジ機構で連結されている吊りバンドの両端部を、ボルトとナットで締め付けることにより配管を固定する構成である。【０００３】  上記構成を変形したタイプである、特願平８−１３７６８９号公報に開示されている配管用吊りバンドは（例えば、特許文献１参照。）。
タンバックルの脚部と吊りバンドの一方の端部とがナットにより回転自在に固定され、もう一方の端部にはボルトがクリップにより脱落防止状態で、且つ、自由に回転できる物もある（例えば、非特許文献１参照。）。
【特許文献１】    特願平８−１３７６８９
【非特許文献１】  「アカギ式  配管支持金具カタログに２００５」株式会社アカギ  ２００５年４６、Ｐ、３０
【発明の開示】
【発明が解決しようとする課題】
【０００４】  しかしながら、以上の技術によれば、タンバックルの脚部と吊りバンドの一方の端部とがナットにより回転自在に固定され、もう一方の端部にはボルトがクリップにより脱落防止状態になっているが、値段が高いといった割高感がある。【０００５】  そこで、この発明は、タンバックルの脚部の、一方の、ボルト挿入開口部に、バ−リング加工により雌ネジを切り、タンバックルの脚部に吊りバンドの端部を、ボルトを介して固定手段によって固定でき、吊りバンドの端部をタンバックルの脚部にボルトを介して片吊りしても離脱しない配管用吊りバンドと、２項では、ボルト挿入開口部にボルトを挿入しても遊びがないように、ボルトのネジが痛まない程度の開口径にすることにより、
ボルトが抜けにくくなり、吊りバンドの端部をタンバックルの脚部にボルトを介して片吊りしても離脱し難い、加工し易い、配管用吊りバンドを提供することを課題とする。
【発明が解決するための手段】
【０００６】  以上の課題を解決するために、第一発明は、天井スラブなどに、上端が固定される吊りボルトの下端側に取り付けられるタンバックルの脚部に、ボルトとナットにより吊りバンドの端部が固定手段により固定される型式の吊りバンドにおいて、タンバックルの脚部に吊りバンドの端部をボルトよって固定できるように、タンバックルの脚部ボルト挿入開口部の片側にバ−リング加工により雌ネジを作成し、タンバックルの脚部に吊りバンドの端部をボルトの固定手段によって固定でき、
タンバックルから吊りバンドが離脱しないことを特徴とする配管用吊りバンドである。
【０００７】  また、第二発明は、上記タンバックルの脚部に、吊りバンドの端部を固定するためのボルト挿入開口部に、ボルトを差し込んだ時、遊びがないようにボルトのネジを痛めない程度の開口径にすることにより、ボルトが抜けにくくなり、タンバックルから吊りバンド離脱し難いことを特徴とする配管用吊りバンド。
【発明の効果】
【０００８】  本発明の請求項１に係る配管用吊りバンドによれば、タンバックルの脚部のボルト挿入開口部にバ−リング加工により雌ネジを切り、ボルトにより吊りバンドの端部が固定手段により固定できるのでナットを開放しても離脱しない為に、作業効率の向上が得られる。
【０００９】  また、請求項２に係る配管用吊りバンドによれば、タンバックルの脚部のボルト挿入開口部を、ボルトを差し込んだ時、遊びがないようにボルトのネジを痛めない程度の開口径にすることにより、ボルトが抜けにくくなり、ナットを開放しても吊りバンドが離脱し難い為に、作業効率の向上が得られるとともに加工し易いので、生産コストを軽減でき、品物の価格をおさえられるといった利点もある。
【発明を実施するための最良の形態】
【００１０】  以下、本発明の実施の形態を図１から図２に基づいて説明する。【００１１】  図１においては、天井スラブに上端が固定されている吊りボルト１の下端側にタンバックル３のナット２を介して固定手段により固定するタンバックル３の脚部３Ａのボルト挿入開口部４に、バ−リング加工により雌ネジを切り、吊りバンド５に付いているボルト７とナット８のボルト７を、吊りバンド５の５Ａ端部ボルト挿入開口部９にボルト７を通し、タンバックル３の脚部３Ａの、ボルト挿入開口部４の雌ネジにボルト７の固定手段により固定でき、ナット８を介して仮止めせずとも吊りバンド５が離脱しない配管用吊りバンドである。【００１２】  また、図２においては、天井スラブに上端が固定されている吊りボルト１の下端側にタンバックル３のナット２を介して固定手段により固定するタンバックル３の脚部３Ａのボルト挿入開口部４に、ボルト７を差し込んだ時、ボルト挿入開口部４とボルト７との間に遊びができないように、ボルト７のネジを痛めない程度の開口径にすることにより、ボルト７が抜けにくくなる。従って、吊りバンド５の５Ａの端部にボルト７を通し、タンバックル３の脚部３Ａのボルト挿入開口部４に、ボルト７を通しただけでナット８を介して仮止めせずとも吊りバンド５が離脱し難い配管用吊りバンドである。
【図面の簡単な説明】
【００１３】
【図１】この発明の一実施形態を示す正面図。
【図２】この発明の一実施形態を示す正面図。
【図３】従来の技術を示す正面図。
【符号の説明】
【００１４】    １−吊りボルト                ８−ナット
２−ナット                    ９−ボルト挿入開口部
３−タンバックル
３Ａ−３Ｂ−脚部
４−ボルト挿入開口部
５−吊りバンド
５Ａ−５Ｂ−吊りバンド
６−ヒンジ機構
７−ボルト
【図１】
2007198579.tif 000003
【図２】
2007198579.tif 000004
【図３】
2007198579.tif 000005